(57)【特許請求の範囲】
【請求項１】
壁面から手前側へ張り出す複数個のブラケットに天板を取着したカウンターの取付構造において、前記壁面に、壁面から手前側へ張り出す寸法を前記ブラケットより小さくした複数個のバックハンガーが取着され、各バックハンガーに前記ブラケットが掛止され、前記バックハンガーが、前記壁面に当接する取着片部と、該取着片部から立設すると共に前記壁面との間に挿入空間を形成する掛止片部と、該掛止片部から手前側へ突出する連結片部とを備え、前記ブラケットが、該挿入空間へ挿着して掛止する被掛止片部と、バックハンガーの該連結片部に載置した状態で連結する張出片部と、該被掛止片部から手前側に突出する連結部とを備え、ブラケットの該張出片部に前記天板を載置し、ブラケットの該連結部に、前記天板と連接するように配置した前板の連結部を連結したことを特徴とするカウンターの取付構造。
【請求項２】
前記ブラケットの内側に前記壁面に沿って収納空間が形成され、該収納空間に配管を配設し、隣接する前記ブラケットの間に架設した水栓取付具に水栓を取着し、前記前板に該水栓取付具を当接できるようにすることにより、該水栓を操作する力の一部を該水栓取付具を介して前記前板に伝達させる請求項１記載のカウンターの取付構造。
【請求項３】
壁面から手前側へ張り出すようにカウンターを取付けるカウンターの取付方法において、ブラケットと、前記壁面から手前側へ張り出す寸法がブラケットより小さなバックハンガーとを予め準備し、前記壁面に複数個のバックハンガーを取着し、前板に取着した複数個のブラケットを対応するバックハンガーに掛止し、これらバックハンガーに天板を取着することを特徴とするカウンターの取付方法。
【発明の詳細な説明】
【０００１】
【発明の属する技術分野】
本発明は、浴室等の壁面から手前側へ張り出すカウンターの取付構造及びカウンターの取付方法に関するものである。
【０００２】
【従来の技術】
この種のカウンターの取付構造としては、壁面へ複数個のブラケットを直接ビス等で取着し、ブラケットに天板を載置した状態で取着したものがある。
【０００３】
【発明が解決しようとする課題】
ブラケットは、天板を載置した状態で受けるために、大型なものになる。そして、各ブラケットは、天板が水平となるように、壁面の所定位置にレベル調整しながら取着する必要がある。
しかし、大型のブラケットは、相当の重量と大きさがあるため、壁面にレベル調整しながら直接ビス等で取着するのに多くの手間を必要とし、取付工数の増大を招く問題がある。
【０００４】
そこで、本発明は、上記問題を解決するために、ブラケットの取着が簡単にできるカウンターの取付構造及びカウンターの取付方法の提供を目的とする。
【０００５】
【課題を解決するための手段】
ブラケットの取着が簡単且つ確実にできるようにすると共に、前板の取着が簡単で且つ確実にできるようにするために請求項１記載の本発明が採用した手段は、壁面から手前側へ張り出す複数個のブラケットに天板を取着したカウンターの取付構造において、前記壁面に、壁面から手前側へ張り出す寸法を前記ブラケットより小さくした複数個のバックハンガーが取着され、各バックハンガーに前記ブラケットが掛止され、前記バックハンガーが、前記壁面に当接する取着片部と、該取着片部から立設すると共に前記壁面との間に挿入空間を形成する掛止片部と、該掛止片部から手前側へ突出する連結片部とを備え、前記ブラケットが、該挿入空間へ挿着して掛止する被掛止片部と、バックハンガーの該連結片部に載置した状態で連結する張出片部と、該被掛止片部から手前側に突出する連結部とを備え、ブラケットの該張出片部に前記天板を載置し、ブラケットの該連結部に、前記天板と連接するように配置した前板の連結部を連結したことを特徴とするカウンターの取付構造である。
本発明にあっては、バックハンガーは、ブラケットより小型にできるので扱いが容易となり、壁面にレベル調整しながらビス等で簡単に取着することが可能となり、更に、ブラケットは、各バックハンガーに掛止することにより簡単に取着することができる。
【０００６】
請求項１記載の本発明にあっては、ブラケットは、挿入空間に被掛止片部を挿入してバックハンガーの掛止片部に掛止してあるので、手前側の移動が阻止された状態で取着されると共に、バックハンガーの連結片部に載置した張出片部を連結してあるので、下方への移動が阻止された状態で取着される。
【０００７】
請求項１記載の本発明にあっては、ブラケットの連結部に前板の連結部を連結することにより、壁面にブラケット及びバックハンガーを介して前板が取着される。
【０００９】
水栓の取着が簡単且つ確実にできると共に水栓操作時のガタツキを無くすために請求項２記載の本発明が採用した手段は、前記ブラケットの内側に前記壁面に沿って収納空間が形成され、該収納空間に配管を配設し、隣接する前記ブラケットの間に架設した水栓取付具に水栓を取着し、前記前板に該水栓取付具を当接できるようにすることにより、該水栓を操作する力の一部を該水栓取付具を介して前記前板に伝達させる請求項１記載のカウンターの取付構造である。
本発明にあっては、収納空間に配設した配管に水栓を接合できると共に、水栓が水栓取付具、ブラケット及びバックハンガーを介して壁面に取着され、更に、水栓を操作する力の一部を水栓取付具を介して前板に伝達するため、水栓取付具と前板との間にガタツキが生じない。
【００１３】
壁面に対するブラケットや前板の取着が簡単にできるようにするために請求項３記載の本発明が採用した手段は、壁面から手前側へ張り出すようにカウンターを取付けるカウンターの取付方法において、ブラケットと、前記壁面から手前側へ張り出す寸法がブラケットより小さなバックハンガーとを予め準備し、前記壁面に複数個のバックハンガーを取着し、前板に取着した複数個のブラケットを対応するバックハンガーに掛止し、これらバックハンガーに天板を取着することを特徴とするカウンターの取付方法である。なお、前板に対して手前方向に沿って移動調節可能に複数個のブラケットを取着することもある。
本発明にあっては、バックハンガーをブラケットより小型にできるので、取付け施工時におけるバックハンガーの扱いが容易となり、壁面にバックハンガーをレベル調整しながらビス等で簡単に取着でき、更に、前板に取着して前板と一体となった複数個のブラケットを対応するバックハンガーに掛止することにより、バックハンガーに複数個のブラケットを短時間に掛止できると共に、これらブラケットに天板を簡単に取着できる。なお、前板に対して手前方向に沿って移動調節可能に複数個のブラケットを取着したときには、前板に取着した複数個のブラケットを対応するバックハンガーに掛止するときに、壁面の出入り変形に応じて、ブラケットを移動調節できるため、壁面に平坦性がなくてもブラケットや前板の取着が簡単にできる。
【００１５】
【発明の実施の形態】
以下、本発明に係るカウンターの取付構造及び取付方法（以下、「本発明取付構造」及び「本発明取付方法」を図面に示す実施の形態に基づいて説明する。
【００１６】
（第１の実施の形態）
図１乃至図１５は本発明取付構造及び本発明取付方法の第１の実施の形態を示すものである。
本実施の形態のカウンター１の取付構造は、図１に示す如く、浴室の正面側壁面Ｗａから手前側へ片持ち状に張り出した取付具２，３，４の夫々二組づつと、これら取付具２，３に載置した状態で押し込むことで取着される着脱自在な天板５と、これら取付具２，３に取着した前板６の中央部７と、左側の取付具４及び中央部７の左端側に連結した前板６の左側部８と、右側の取付具４及び中央部７の右端側に連結した前板６の右側部９とを備えている。更に、カウンター１は、前板６の左側部８及び中央部７の内側に配置した配管１０と、前板６の中央部７に取着した湯水混合水栓等の水栓２０とを備えている。配管１０は、給水管１０ａ及び給湯管１０ｂとからなり、壁面Ｗａの裏側から前板６の左側部８の内側へ導かれ、止水栓１０ｃ，１０ｃを介して水栓２０まで延設されている。前板６の左側部８は、壁面Ｗａ及び天板５に沿って左右方向へ移動する着脱自在となっており、離脱状態とすることで止水栓１０ｃ，１０ｃの操作を可能としてある。
【００１７】
なお、カウンター１は、設置箇所のスペース的制限から、図示は省略したが、前板６の固定した右端部９を省略すると共に、天板５から右端部９の上方を覆う部分を省略することもある。更に、カウンター１は、配管１０及び水栓２０を備えないものとすることもある。
【００１８】
前記取付具２は、図２、図５、図７乃至図９に示す如く、壁面Ｗａに取着するバックハンガー１１と、バックハンガー１１に掛止するブラケット１２とからなる。バックハンガー１１は、壁面Ｗａ（図７参照）から張り出す寸法をブラケット１２に比べて小さくすることで、ブラケット１２より小型に形成し、取扱い易くしてある。バックハンガー１１は、ステンレススチール板等から成形され、壁面Ｗａに当接する取着片部１１ａと、取着片部１１ａから段部１１ｂを介して立設すると共に壁面Ｗａとの間に挿入空間１１ｃ（図７参照）を形成する掛止片部１１ｄと、掛止片部１１ｄから手前側（壁面Ｗａから離れる方向）へ突出する連結片部１１ｅとを備えている。バックハンガー１１は、取着片部１１ａにビス挿通孔１１ｆ，１１ｆが穿設され、ビス挿通孔１１ｆ，１１ｆへ挿通したビス１５，１５等を壁面Ｗａにねじ込むことで取着される。
【００１９】
前記取付具２を構成するブラケット１２は、図２、図５、図７乃至図９に示す如く、ステンレススチール板等から成形され、バックハンガー１１と壁面Ｗａとの間の挿入空間１１ｃへ挿入して掛止する被掛止片部１２ａと、バックハンガー１１の連結片部１１ｅに載置した状態で連結する張出片部１２ｂとを備えている。更に、ブラケット１２は、被掛止片部１２ａの両側から垂下した接合片部１２ｃ，１２ｃと、接合片部１２ｃ，１２ｃから手前側へ張出した連結部１２ｄと、接合片部１２ｃ，１２ｃの間に形成した長方形状の潜り込み空間１２ｅとを備え、潜り込み空間１２ｅにバックハンガー１１の掛止片部１１ｄ及び連結片部１１ｅを潜り込ませるようにして掛止できるようにしてある。潜り込み空間１２ｅは、その左右幅寸法をバックハンガー１１の掛止片部１１ｄ及び連結片部１１ｅの左右幅寸法より大きくすることにより、壁面Ｗａに対するバックハンガー１１の取着誤差が左右方向に若干あったとしても、所定位置にブラケット１２を掛止できるようにしてある。ブラケット１２の連結部１２ｄは、水平片部１２ｆと、水平片部１２ｆの両側から垂下した垂下片部１２ｇ，１２ｇとが形成され、前板６の中央部７の連結部２４へ連結できるようにしてある。ブラケット１２の張出片部１２ｂは、手前側の折曲片部１２ｈと、上段片部１２ｍと、根元側の下段片部１２ｎと、上段片部１２ｍの両側から張り出した係止片部１２ｐ，１２ｐとからなる。各係止片部１２ｐは、後述する天板５の係止片部４８とで係止具１６を構成するものであり、下面側に係止突条１２ｒの一条又は複数状が突設されている。
【００２０】
前記壁面Ｗａに取着したバックハンガー１１にブラケット１２を掛止するときには、ブラケット１２の潜り込み空間１２ｅにバックハンガー１１の掛止片部１１ｄ及び連結片部１１ｅを潜り込ませることにより、バックハンガー１１の掛止片部１１ｄにブラケット１２の被掛止片部１２ａを掛止すると共に、バックハンガー１１の連結片部１１ｅに下段片部１２ｎを載置させ、その後に、下段片部１２ｎに穿設されている長孔１２ｓに挿入したボルト１７をバックハンガー１１の雌ネジ部１１ｇへ螺着することで、バックハンガー１１とブラケット１２とを連結する。
【００２１】
連結されたブラケット１２は、バックハンガー１１の挿入空間１１ｃに被掛止片部１２ａを挿入してバックハンガー１１の掛止片部１１ｄに掛止してあるので、手前側の移動が阻止された状態で取着されると共に、バックハンガー１１の連結片部１１ｅに張出片部１２ｂを載置して連結してあるので、下方及び上方への移動が阻止された状態で取着されることになる。従って、ブラケット１２は、バックハンガー１１に対して簡単且つ確実に取着ができる。
【００２２】
前記取付具３は、図２、図５、図１０及び図１１に示す如く、壁面Ｗａ（図１０参照）に取着するバックハンガー１３と、バックハンガー１３に掛止するブラケット１４とからなる。バックハンガー１３は、壁面Ｗａから張り出す寸法をブラケット１４に比べて小さくすることで、ブラケット１４より小型に形成し、取扱い易くしてある。バックハンガー１３は、下端に掛止片部１３ｔを設けた以外の構成が、前記バックハンガー１１と実質的に同一である。即ち、バックハンガー１３は、ステンレススチール板等から成形され、壁面Ｗａに当接する取着片部１３ａと、取着片部１３ａから段部１３ｂを介して立設すると共に壁面Ｗａとの間に挿入空間１３ｃ（図１０参照）を形成する掛止片部１３ｄと、掛止片部１３ｄから手前側（壁面Ｗａから離れる方向）へ突出する連結片部１３ｅとを備えている。バックハンガー１３は、取着片部１３ａにビス挿通孔１３ｆ，１３ｆが穿設され、ビス挿通孔１３ｆ，１３ｆへ挿通したビス１５，１５等を壁面Ｗａにねじ込むことで取着される。
【００２３】
前記取付具３を構成するブラケット１４は、図２、図５、図１０及び図１１に示す如く、被掛止片部１４ｔを設けると共に前記ブラケット１２の係止片部１２ｐに相当するものを設けないこと以外の構成が、前記ブラケット１２と実質的に同一である。即ち、ブラケット１４は、ステンレススチール板等から成形され、バックハンガー１３と壁面Ｗａとの間の挿入空間１３ｃへ挿入して掛止する被掛止片部１４ａと、バックハンガー１３の連結片部１３ｅに載置した状態で連結する張出片部１４ｂとを備えている。更に、ブラケット１４は、被掛止片部１４ａの両側から垂下した接合片部１４ｃ，１４ｃと、接合片部１４ｃ，１４ｃから手前側へ張出した連結部１４ｄと、接合片部１４ｃ，１４ｃの間に形成した長方形状の潜り込み空間１４ｅとを備え、潜り込み空間１４ｅにバックハンガー１３の掛止片部１３ｄ及び連結片部１３ｅを潜り込ませるようにして掛止できるようにしてある。潜り込み空間１４ｅは、その左右幅寸法をバックハンガー１３の掛止片部１３ｄ及び連結片部１３ｅの左右幅寸法より大きくすることにより、壁面Ｗａに対するバックハンガー１３の取付誤差が左右方向に多少あったとしても、所定位置にブラケット１４を掛止できるようにしてある。ブラケット１４の連結部１４ｄは、水平片部１４ｆと、水平片部１４ｆの両側から垂下した垂下片部１４ｇ，１４ｇと、上記被掛止片部１４ｔが形成され、前板６の中央部７の連結部２５へ連結すると共に、バックハンガー１３の掛止片部１３ｔに被掛止片部１４ｔを掛止させるようにしてある。ブラケット１４の張出片部１４ｂは、手前側の折曲片部１４ｈと、上段片部１４ｍと、根元側の下段片部１４ｎとからなる。
【００２４】
前記壁面Ｗａに取着したバックハンガー１３にブラケット１４を掛止するときには、ブラケット１４の潜り込み空間１４ｅにバックハンガー１３の掛止片部１３ｄ及び連結片部１３ｅを潜り込ませることにより、バックハンガー１３の掛止片部１３ｄ，１３ｔにブラケット１４の被掛止片部１４ａ，１４ｔを掛止すると共に、バックハンガー１３の連結片部１３ｅに下段片部１４ｎを載置させ、その後に、下段片部１４ｎに穿設されている長孔１４ｓに挿入したボルト１７をバックハンガー１３の雌ネジ部１３ｇへ螺着することで、バックハンガー１３とブラケット１４とを連結する。ブラケット１４は、バックハンガー１３の掛止片部１３ｔにブラケット１４の被掛止片部１４ｔを掛止してあるので、ブラケット手前側が揺動するように持ち上がることはない。
【００２５】
図６は取付具３の別態様を示すものであり、この取付具３は、バックハンガー１３及びブラケット１４の下端側に連結片部１３ｕ，１４ｕを形成し、両連結片部１３ｕ，１４ｕどうしをボルト１７で連結するようにしたものであり、ブラケット手前側が揺動するように持ち上がるのを防止してある。
【００２６】
前記取付具４は、図２及び図１４に示す如く、壁面Ｗａに取着したバックハンガー１１と、バックハンガー１１に掛止したブラケット１８とからなる。バックハンガー１１は、壁面Ｗａから張り出す寸法をブラケット１８に比べて小さくすることで、ブラケット１８より小型に形成し、取扱い易くしてある。バックハンガー１１は、前述の如く形成されている。ブラケット１８は、バックハンガー１１と壁面Ｗａとの間の挿入空間１１ｃ（図７参照）へ挿入して掛止する被掛止片部１８ａと、バックハンガー１１の連結片部１１ｅに載置した状態で連結する張出片部１８ｂとを備えている。更に、ブラケット１８は、被掛止片部１８ａの両側から垂下した接合片部１８ｃ，１８ｃと、接合片部１８ｃ，１８ｃから両側から手前側へ張出した連結部１８ｄ，１８ｄと、接合片部１８ｃ，１８ｃの間に形成した長方形状の潜り込み空間１８ｅとを備え、潜り込み空間１８ｅにバックハンガー１１の掛止片部１１ｄ及び連結片部１１ｅを潜り込ませるようにして掛止できるようにしてある。潜り込み空間１８ｅは、その左右幅寸法をバックハンガー１１の掛止片部１１ｄ及び連結片部１１ｅの左右幅寸法より大きくすることにより、壁面Ｗａに対するバックハンガー１１の取付誤差が左右方向に多少あったとしても、所定位置にブラケット１８を掛止できるようにしてある。ブラケット１８の張出片部１８ｂは、図１２（Ａ）に示す如く、その両側縁に、天板５の後述する補強部材２１の端部が着脱自在に係止する係止具２２の一方となる係止片部２２ａ，２２ａを立設してある。ブラケット１８の各連結部１８ｄは、図１４に示す如く、前板６の左側部８又は右側部９を着脱自在に連結するための連結具２３の一方２３ａとなるようにしてある。
【００２７】
前記前板６は、図１に示す如く、合成樹脂のインジェクション等で成形した左側部８と中央部７と右側部９とからなり、浴室内の正面側の壁面Ｗａに沿って三者を一列状に連結してある。中央部７と浴室内の側面側の壁面Ｗｂに当接または接近する右側部９とは、壁面Ｗａに対して固定配置される固定部となっている。左側部８は、壁面Ｗａ及び天板５に沿って左右方向へ移動しながら着脱できる着脱部となっている。なお、前板６は、右側部９を省略して、中央部７の右端を壁面Ｗｂに当接または接近させるようにすることもある。
【００２８】
前記前板６の中央部７は、図１及び図２に示す如く、天板５に連接するように起立する前面部７ａと、前面部７ａから壁面Ｗａへ向かって延びる底面部７ｄとが形成され、その中央部に混合水栓配置部７ｃが手前側へ膨出するように形成されている。中央部７は、図５に示す如く、裏面側に取付具２，３の各ブラケット１２，１４を連結するための連結部２４，２５が複数の補強リブ２６と共に設けられている。取付具２，３の各ブラケット１２，１４は、バックハンガー１１，１３に掛止する前に、前板６の中央部７に予め連結される。
【００２９】
前板６の連結部２４は、図５に示す如く、左右の起立片部２４ａ，２４ａと、起立片部２４ａ，２４ａに架設した水平片部２４ｂと、前面部７ａの上縁部に形成した連結片部２４ｄとを備え、これら片部で囲まれた内側の凹部２４ｃにブラケット１２の連結部１２ｄを挿着できるようにすると共に、連結片部２４ｄにブラケット１２の折曲片部１２ｈを当接できるようにしてある。中央部７の連結部２４に対するブラケット１２の連結部１２ｄ及び折曲片部１２ｈの連結は、図７及び図８に示す如く、起立片部２４ａ，２４ａ及び水平片部２４ｂに設けた各切込み部２４ｅに挿通したボルト１９を連結部１２ｄに螺着すると共に、連結片部２４ｄに設けたボルト挿通孔２４ｆに挿通したボルト１９を折曲片部１２ｈに螺着することで行われる。
【００３０】
前板６の連結部２５は、図５に示す如く、起立片部２５ａと、起立片部２５ａに接合する水平片部２５ｂと、前面部７ａの上縁部に形成した連結片部２５ｄとを備え、これら片部の内側に形成された内隅部２５ｃにブラケット１４の連結部１４ｄを挿着できるようにすると共に、連結片部２５ｄにブラケット１４の折曲片部１４ｈを当接できるようにしてある。中央部７の連結部２５に対するブラケット１４の連結部１４ｄ及び折曲片部１４ｈの連結は、起立片部２５ａ及び水平片部２５ｂに設けられている各切込み部２５ｅに挿通したボルト１９を連結部１４ｄに螺着すると共に、連結片部２５ｄに設けたボルト挿通孔２５ｆに挿通したボルト１９を折曲片部１４ｈに螺着することで行われる。
【００３１】
前述の如く、前板６の中央部７は、各ブラケット１２の連結部１２ｄに前板連結部２４を連結すると共に、各ブラケット１４の連結部１４ｄに前板連結部２５を連結することにより、壁面Ｗａに取付具２，３を介して簡単で且つ確実に取着できる。
【００３２】
なお、壁面Ｗａを形成する壁パネルの建込み誤差やパネル歪み等により、壁面Ｗａに平坦でない出入りのある部分が生じているときには、壁面Ｗａに予め取着したバックハンガー１１，１３が同一平面上に配列されないために、ブラケット１２，１４の出入りの調節を必要とする場合がある。この場合には、前板６の中央部７に対してブラケット１２，１４を手前方向へ移動調節可能に取着する。具体的には、中央部７にブラケット１２，１４を取着するときに、ボルト１９を緩く仮留め状態にしておき、バックハンガー１１，１３に各ブラケット１２，１４を掛止した後に、ボルト１９を本締めして、中央部７にブラケット１２，１４を確実に取着する。
【００３３】
前記前板６の左側部８は、図１に示す如く、浴室壁面Ｗ及び天板５に沿って左右方向へ移動することにより、壁面Ｗａに取着された取付具４及び壁面Ｗａに取付具２，３を介して取着された中央部７に、着脱自在に連結できるようになっている。取付具４に左側部８を着脱自在に連結するための連結具２３は、図１４に示す如く、取付具４のブラケット１８に設けた一方２３ａと、左側部８に設けた他方２３ｂとからなる。同図（Ａ）に示す連結具２３は、挿入部２７ａを受具２７ｂの弾性力で挟持する接合具２７と、挿入部２８ａを開口部２８ｂで受けて垂直荷重を支持する支持具２８との組合せからなる。同図（Ｂ）に示す連結具２３の別態様は、挿入部２９ａに設けた出没自在な突起２９ｂと、ブラケット１８に設けた開口部２９ｃとからなり、開口部２９ｂに挿入部２９ａを挿入することにより、開口部２９ｃの縁部に突起２９ｂを係止させるラッチ機構２９である。同図（Ｃ）に示す連結具２３の更に別態様は、挿入部３０ａの先端側に設けた磁石３０ｂと、挿入部３０ａの挿入により磁石３０ｂが磁着する凹部３０ｃとからなる磁石機構３０である。
【００３４】
前記前板６の中央部７に左側部８を着脱自在に連結するための連結具３１は、図１５に示す如く、一方３１ａと他方３１ｂとからなる。同図（Ａ）に示す連結具３１は、一方３１ａが左側部８のフランジ片８ｄから突出した二股で弾性の係止突起からなり、他方３１ｂが中央部７のフランジ片７ｄに設けた挿入孔からなり、他方３１ｂの挿入孔に圧入した一方３１ａの係止突起を係止するようにしたものである。同図（Ｂ）に示す連結具３１の別態様は、一方３１ａが左側部８のフランジ片８ｄから突出した突起からなり、他方３１ｂが中央部７のフランジ片７ｄに挿着したゴムブッシュからなり、他方３１ｂのゴムブッシュに圧入した一方３１ａの突起をゴム弾性で保持するようにしたものである。
【００３５】
図１６は、前板６の中央部７に左側部８を着脱自在に連結するために、底面側に設けた第二の連結具３２を示すものであり、連結具３２は必要に応じて設けられるものである。同図（Ａ）に示す連結具３２は、一方３２ａが左側部８に設けた係止片からなり、他方３２ｂが中央部７に取着したバネ板等の弾性の係止片からなり、中央部７に左側部８を連結したときに係止するようにしてある。同図（Ｂ）に示す連結具３２は、一方３２ａが左側部８に設けた切込み孔からなり、他方３２ｂが中央部７に取着したブラケットに螺着した頭付きボルトからなり、中央部７に左側部８を連結したときに一方３２ａの切込み孔の周縁を他方３２ｂの頭付きボルトで挟持するようにしてある。
【００３６】
カウンター１は、図１に示すように、前板６の着脱部となる左側部８の前面部８ａ（図２参照）及び底面部８ｂで囲まれていたカウンター内側の部分が、左側部８の離脱に伴い開放されるので、カウンター内側の部分に配置した配管１０の止水栓１０ｃ，１０ｃの操作及び保守点検を容易に行うことができる。前板６は、着脱部となる左側部８を装着するとき、固定部となる中央部７の端部に連結具３１（図１５参照）で連結されると共に、壁面Ｗａに取着したブラケット１８に連結具２３（図１４参照）で連結されることになる。この結果、前板６は、左側部８と中央部７とをずれなく確実に連結できると共に、左側部８をブラケット１８を介して壁面Ｗａに確実に連結できることになり、装着状態の左側部８と中央部７との一体性をもたせることができる。更に、左側部８は、壁面Ｗａ及び天板５に沿って移動させることで着脱が行われるので、着脱操作が容易且つ確実にできることになる。
【００３７】
前板６の固定部となる右側部９（図１参照）は、取付具４のブラケット１８が連結される。このブラケット１８の連結は、ブラケット１８をバックハンガー１１に掛止する前に行われるものであり、具体的には、ブラケット１８（図１２参照）の連結部１８ｄの開口部に、右側部９の内側に突設した係止突起（図示省略）を挿入すると共に、ブラケット１８の折曲片部１８ｈに右側部９をボルト（図示省略）で連結して行う。
【００３８】
前記天板５は、図４に示す如く、天板全体の軽量化を図るために、合成樹脂のインジェクション等で成形した本体３５と、本体３５の裏面側に取着した長尺の補強部材３６及び短尺の補強部材２１，２１とを備えている。本体３５は、天板５の表面を形成する平面部４１と、平面部４１の裏面側周縁に垂下した周壁部４２と、平面部４１の表面背側から起立した背壁部４３と、平面部４１の裏面側に垂下した多数の補強リブ４４と、補強リブ４４の交叉部等の要所に設けたボス部４５とを備えている。周壁部４２は、手前裏面側の要所に複数の凸部４６ａ（凹部とすることもある）が形成され、図８及び図９に示す如く、前記前板６の凸部４６ｂと係止する係止部４６の一方としてある。また、周壁部４２は、背側の要所に複数の切欠部４７を設け、図８及び図９に示すように天板５を押し込んで取付けるときに、前記取付具２，３のボルト１７の頭部を切欠部４７で通過するようにしてある。なお、本体部３５は、図示は省略したが、表面板部と底面板とをリブ等で連結した内部が中空の二重壁構造のものを用い、軽量に形成することも可能である。
【００３９】
図４に示す如く、前記長尺の補強部材３６及び短尺の補強部材２１，２１は、ステンレススチール等の金属素材から断面Ｌ字状等に形成され、曲げ剛性の大きなものとなっている。長尺の補強部材３６は、図１０に示す如く、本体３５に向かって若干寸法だけ離反移動できるように、本体３５のボス部４５に接合したビスからなる留付け具３７で留付けられると共に、図８及び図１１に示す如く、ブラケット１２，１４に載置するようにして天板５を取付けるとき、補強リブ４４やボス部４５とブラケット１２，１４とで挟まれるようになっている。天板５は、本体３５と補強部材３６との留め付け箇所にゆとりを形成することにより、ブラケット１２，１４から補強部材３６を介して伝達する反力を留め付け箇所に集中させることなく、補強リブ４４やボス部４５を介して本体３５の長手方向の全域に分散した状態で伝達させることができ、合成樹脂からなる本体３５に損傷を生じさせることがない。
【００４０】
前記短尺の各補強部材２１は、長尺の補強部材３６の留め付けと同様に、本体３５に対して離反移動できるようにビスからなる留付け具３７で留め付けられる。なお、各補強部材２１は、その長さが非常に短いために反力集中を考慮する必要がないときには、本体３５に対して離反移動できない状態に留め付けられることもある。
【００４１】
前記天板５は、長尺の補強部材３６及び短尺の補強部材２１，２１により全体の曲げ強度を大きくすることができると共に、壁面Ｗａに取着した取付具２，３のブラケット１２，１４からの反力を補強部材３６，２１，２１を介して本体３５に伝達させることができるので、合成樹脂素材から軽量に成形された本体３５を用いることが可能となり、着脱時の取扱いをし易くすることができる。
【００４２】
カウンター１は、所定位置に着脱自在な天板５を確実に固定するために、短尺の補強部材２１，２１と壁面Ｗａの左右両側に取着してある取付具４，４の各ブラケット１８とを係止具２２で係止できるようにすると共に、天板５の本体３５と壁面Ｗａに取着してある取付具２，２の各ブラケット１２とを係止具１６，１６で係止できるようにしてある。
【００４３】
前者の係止具２２は、図１２に示す如く、ブラケット１８に設けた係止片部２２ａと、補強部材２１の端部に設けた係止突起２２ｂとからなる。係止突起２２ｂは、板バネ材から成形され、補強部材２１の端部に設けたＵ字型の折曲片２１ａに取着されている。係止突起２２ｂは、その形状として、同図（Ｂ）及び（Ｃ）（両図ともに天地逆にした状態の斜視図）に示すものが適宜選択される。補強部材２１の端部に設けた係止突起２２ｂは、装着する天板５を壁面Ｗａに向かって押し込むのに伴い矢符Ｅ方向へ移動し、固定状態の係止片部２２ａの開口部に係止（図示省略）する。この係止状態のとき、補強部材２１の折曲片２１ａは、ブラケット１８にその下端が載置され、天板５の荷重の一部をブラケット１８で受けるようにしてある。天板５は、壁面Ｗａに取着した左右両側のブラケット１８，１８に係止具２２，２２を介して補強部材２１，２１を確実に係止することで、壁面Ｗａとの関係で本体３５の取付け位置が決まる。従って、壁面Ｗａを形成する壁パネルに建込み誤差やパネル歪み等により平坦とならない出入りが壁面Ｗａに多少あったとしても、天板５の本体３５の位置決めを確実にすることができる。
【００４４】
前者の係止具２２の別態様としては、図１３に示すものがある。この別態様の係止具２２は、ブラケット１８に取着した板バネからなる弾性係止片部２２ｃと、補強部材２１の端部に折曲げ形成した係止片部２２ｄとからなる。弾性係止片部２２ｃには係合凹部２２ｃ−１が形成され、係止片部２２ｄには係合凸部２２ｄ−１が形成されている。補強部材２１の端部に設けた係止片部２２ｄは、装着する天板５を壁面Ｗａに向かって押し込むのに伴い矢符Ｅ方向へ移動し、弾性係止片部２２ｃとブラケット１８とで挟圧されるように係止（図示省略）する。この係止状態のとき、係合凹部２２ｃ−１と係合凸部２２ｄ−１とが係合状態となる。
【００４５】
前記後者の各係止具１６は、図７に示す如く、天板５の本体３５の底面側に張り出した係止片部４８（図４（Ｂ）参照）と、壁面Ｗａに取着した取付具２のブラケット１２から張り出した係止片部１２ｐ（図５参照）とからなり、図８及び図９に示すように装着する天板５を壁面Ｗａに向かって押し込むのに伴い、固定側の係止片部１２ｐの下面側に移動側の係止片部４８が潜り込み、係止片部１２ｐの下面側の係止突条１２ｒ，１２ｒに係止片部４８の上面側の係止凹部４８ａ，４８ａを係止させるようにしてある。係止具１６は、係止状態になると、天板５に設けた係止片部４８を上方へ移動させることがないため、天板５の浮き上がりを防止できる。
【００４６】
前記天板５は、壁面Ｗａに取着したブラケット１２，１８との間に各係止具１６，２２が設けられているため、壁面Ｗａに向かって押し込むことで、各係止具１６，２２が係止状態となり、逆に手前側へ引っ張り出することで、各係止具１６，２２が非係止状態となるので、着脱が容易にできる。更に、カウンター１は、天板５の上記押し込み及び引っ張り出しが、ブラケット１２，１４に載置した状態で楽に行うことができ、天板５の着脱操作が容易となる。
【００４７】
カウンター１は、図８及び図９に示す如く、装着する天板５を壁面Ｗａに向かって押し込むと、係止部４６を形成する前板６の各凸部４６ｂに、天板５の対応する凸部４６ａが係止する。カウンター１は、複数の係止部４６の係止により、前板６と天板５とを確実に接合できるので、装着状態の天板５と前板６との一体性を得ることができる。また、天板５の浮き上がりも防止できる。
【００４８】
図１に示す前板６の中央部７に取着する湯水混合水栓２０は、図２に示すブラケット１４，１４の間に架設した水栓取付具５０に取着される。水栓取付具５０は、ブラケット１４，１４をバックハンガー１１，１３に掛止する前に、ボルト５１を用いて各ブラケット１４の垂下片部１４ｇに接合されると共に、湯水混合水栓２０（図１参照）が取着される。湯水混合水栓２０及びブラケット１４，１４を一体化した水栓取付具５０は、前板６の中央部７にブラケット１４，１４を連結するのに伴い、中央部７に形成された混合水栓配置部７ｃの内側に収納される。湯水混合水栓２０は、混合水栓配置部７ｃの内側に収納されるとき、中央部７の正面側の開口部７ｅ，７ｅを貫通して操作軸受部が外部へ突出すると共に中央部７の底面側の開口部７ｆを貫通して吐水管部が外部へ突出する。
【００４９】
前記水栓取付具５０から延設する配管１０は、前板６の中央部７に接合したブラケット１４，１２の内側に壁面Ｗａへ沿って延びるように形成された収納空間Ｆ（図１１参照）に配置される。カウンター１は、水栓取付具５０、ブラケット１４，１２及びバックハンガー１３，１３を介して壁面Ｗａに取着した湯水混合水栓２０を、収納空間Ｆに配置される配管１０に接合できるので、湯水混合水栓２０の装着が簡単且つ確実にできる。なお、配管１０は、湯水混合水栓２０に配管一部を予め接合し、前板６の中央部７に水栓取付具５０を収納するのと並行した収納空間Ｆに配置すると、湯水混合水栓２０の装着がより簡単にできる。
【００５０】
前記水栓取付具５０は、図１１に示す如く、前板６の中央部７の内側に設けた受リブ５１，５１（図２及び図５参照）に当接するようになっており、湯水混合水栓２０を操作したときの下向きの操作力を、剛性の大きな前板６の受リブ５１，５１へ伝達させ、水栓操作時のガタツキを無くすることができる。また、前記水栓取付具５０を架設するブラケット１４，１４は、バックハンガー１３の掛止片部１３ｔにブラケット１４の被掛止片部１４ｔを掛止してあるので、水栓等の操作でブラケット手前側が揺動するように持ち上がるのを防止して、水栓操作時のガタツキを無くすることができる。
【００５１】
次に、本発明取付方法を実施の形態に基づいて説明する。準備段階としては、図５に示す前板６の中央部７の連結部２４，２５にブラケット１２，１４の連結部１２ｄ，１４ｄを当接してボルト１９で連結すると共に、図１に示す前板６の固定側となる右側部９に、ブラケット１８（図２及び図１２参照）をボルト（図示省略）で連結しておく。このとき、中央部７に水栓取付具５０，湯水混合水栓２０及び配管１０の一部も併せて取着しておくとよい。
【００５２】
壁面Ｗａに対する取付け作業は、先ず、壁面Ｗａの所定位置に、各取付具２，３，４のバックハンガー１１，１３を水平状態に、ビス１５等で取着する。次に、前板６の中央部７に連結した複数個のブラケット１２，１４及び前板６の固定側となる右側部９に連結したブラケット１８を、対応するバックハンガー１１，１３に掛止すると共にボルト１７で連結する。この掛止は、前板６の中央部７と右側部９とを連結具３１（図１５参照）で連結した状態で行う。並行して、左側のバックハンガー１１にも、ブラケット１８を掛止してボルト１７で連結する。取付け作業は、壁面Ｗａにブラケット１２，１４，１８より張り出し寸法の小さな小型のバックハンガー１１，１３をレベル調整しながら直接ビス１５等で取着することができると共に、各バックハンガー１１，１３に掛止することでブラケット１２，１４，１８を取着できるので、ブラケット１２，１４，１８の取着が簡単となり、カウンター１の取付け作業工数を低減できる。
【００５３】
続けて、湯水混合水栓２０から延設された配管１０の一部と、壁面Ｗａに突出した配管１０の一部とを止水栓１０ｃ，１０ｃを介して接合する。更に続けて、前板６の左側部８を壁面Ｗａに沿って右側へ移動させ、中央部７に連結具３１（図１５参照）で連結すると共に、固定されているブラケット１８に連結具２３（図１４参照）で連結する。この左側部８の装着により、配管１０の露出状態の止水栓１０ｃ，１０ｃが左側部８で覆われる。
【００５４】
最後に、図８に示すように、前記取付具２，３の各ブラケット１２，１４の上に天板５を載置する共に、載置した状態で天板５を壁面Ｗａへ向かって押し込むことでカウンター１の取付けを完了する。押し込まれた天板５は、図９に示すように、天板５の底面側に張り出した係止片部４８と、ブラケット１２から張り出した係止片部１２ｐとからなる係止具１６が係止すると共に、図１２に示すように、天板５の底面両側に設けた各補強部材２１の係止突起２２ｂとブラケット１８の係止片部２２ａの開口部とからなる係止具２２が係止することにより、所定位置に固定される。なお、天板５を装着した後に、前記前板６の左側部８を装着することも可能である。
【００５５】
壁面Ｗａに取付けられたカウンター１は、凍結防止のために止水栓１０ｃ，１０ｃを閉じるときには、前板６の左側部８を着脱して操作する。また、前板６の内側を保守点検するときには、天板５を手前側に引き出しすることにより、係止具１６，２２（図９及び図１２参照）の係止状態を解除して天板５を取り外すことができる。
【００５６】
（第２の実施の形態）
図１７及び図１８は、本発明外のカウンターの取付構造及び取付方法の第２の実施の形態を示すものであって、図１７は取付け途中を示す断面図、図１８は取付け完成状態を示す断面図である。
本実施の形態は、複数組の前記取付具３と、天板５５とを備えている。天板５５は、合成樹脂，木質素材等から成形されている。取付具３のブラケット１４と天板５５との連結は、底面側からねじ込むビス５７で行われる。なお、ブラケット１４としては、被掛止片部１４ｔを残して水平片部１４ｆ及び垂下片部１４ｇを省略したものを用いることもある。また、取付具３の代わりに前記取付具２を用いることも、または、取付具３と取付具２とを組み合わせて用いることも可能である。
【００５７】
壁面Ｗａに対する取付け作業は、先ず、壁面Ｗａの所定位置に、各取付具３のバックハンガー１３をレベル調整しながらビス１５等で取着する。次に、各バックハンガー１３にブラケット１４を掛止してボルト１７で連結する。最後に、これらブラケット１４の上に天板５５を載置すると共に、底面側からねじ込むビス５７で両者を連結して組立てを完了する。
【００５８】
本実施の形態にあっては、取付具３のバックハンガー１３をブラケット１４より小型にできるので、施工時におけるバックハンガー１３の扱いが容易となり、壁面Ｗａにバックハンガー１３をレベル調整しながらビス等で簡単に取着できる。更に、複数個のブラケット１４を対応するバックハンガー１３に掛止することにより、複数個のブラケット１４をレベルの出た状態で壁面Ｗａから手前側へ張り出させるので、これらブラケット１４に天板５５を簡単に取着できることになる。
【００５９】
壁面Ｗａに対する取付け作業は、現場の態様に応じて次のように変更することも可能である。先ず、壁面Ｗａの所定位置に、各取付具３のバックハンガー１３をレベル調整しながらビス１５等で取着する。次に、天板５５の所定位置にビス５７で取着しておいたブラケット１４を、対応する各バックハンガー１３に掛止すると共に、バックハンガー１３とブラケット１４とを底面側からねじ込むボルト１７で連結して組立てを完了する。
【００６０】
（第３の実施の形態）
図１９及び図２０は、本発明取付構造及び取付方法の第３の実施の形態を示すものであって、図１９は取付け途中を示す断面図、図２０は取付け完成状態を示す断面図である。
本実施の形態は、複数組の前記取付具３と、天板５５と、前板５６とを備えている。天板５５は、合成樹脂，木質素材等から成形されている。前板５６は、合成樹脂，ステンレス鋼板等から成形されている。取付具３のブラケット１４と天板５５との接合は、底面側からねじ込むビス５７で行われる。取付具３のブラケット１４と前板５６との連結は、ブラケット１４の折曲片部１４ｈに前板５６上縁５６ａを当接する共に、ブラケット１４の垂下片部１４ｇに前板５６の起立片部５６ｂを当接し、正面及び側面等からねじ込むビス１９で行われる。なお、取付具３の代わりに前記取付具２を用いることも、または、取付具３と取付具２とを組み合わせて用いることも可能である。
【００６１】
壁面Ｗａに対する取付け作業は、先ず、壁面Ｗａの所定位置に、各取付具３のバックハンガー１３をレベル調整しながらビス１５等で取着する。次に、各バックハンガー１３にブラケット１４を掛止してボルト１７で連結する。続けて、これらブラケット１４の上に天板５５を載置すると共に、底面側からねじ込むビス５７で両者を連結する。最後に、左右のブラケット１４に前板５６を当接する共に、正面及び側面等からねじ込むビス１９で両者を連結して組立てを完了する。
【００６２】
なお、図示は省略したが、天板５５が前記第１の実施の形態と同様に係止具１６の係止片部４８（図７乃至図９参照）を備えている場合には、ブラケット１２の上に天板５５を載置した状態で壁面Ｗａへ向かって押し込むことにより、係止具１６で両者を連結できるときには、ブラケット１４に前板５６を先に連結した後に、天板５５をブラケット１４に連結させることが可能となる。
【００６３】
本実施の形態にあっては、取付具３のバックハンガー１３をブラケット１４より小型にできるので、施工時におけるバックハンガー１３の扱いが容易となり、壁面Ｗａにバックハンガー１３をレベル調整しながらビス等で簡単に取着できる。更に、複数個のブラケット１４を対応するバックハンガー１３に掛止することにより、複数個のブラケット１４をレベルの出た状態で壁面Ｗａから手前側へ張り出させるので、これらブラケット１４に天板５５及び前板５６を簡単に取着できることになる。
【００６４】
前記実施の形態における壁面Ｗａに対する取付け作業は、次のように変更することも可能である。先ず、壁面Ｗａの所定位置に、各取付具３のバックハンガー１３をレベル調整しながらビス１５等で取着する。次に、天板５５の所定位置にビス５７で予め取着しておいたブラケット１４を、対応する各バックハンガー１３に掛止すると共に、バックハンガー１３とブラケット１４とを底面側からねじ込むボルト１７で連結する。続けて、左右のブラケット１４に前板５６を当接する共に、正面及び側面等からねじ込むビス１９で両者を連結して組立てを完了する。
【００６５】
【発明の効果】
請求項１記載の本発明取付構造は、壁面にブラケットより小型のバックハンガーをレベル調整しながら直接ビス等で取着することができると共に、各バックハンガーに掛止することでブラケットを取着できるので、ブラケットの取着が簡単となり、カウンターの取付け作業工数を低減できる。
また、請求項１記載の本発明取付構造は、バックハンガーに対してブラケットを掛止することで、ブラケットの手前側及び下方への移動が阻止された状態で取着されので、ブラケットの取着が簡単且つ確実にできる。
更に、請求項１記載の本発明取付構造は、ブラケットの連結部に前板の連結部を連結することにより、前板の取着が簡単で且つ確実にできる。
【００６６】
請求項２記載の本発明取付構造は、水栓取付具、ブラケット及びバックハンガーを介して壁面に取着した水栓を、収納空間に配設した配管に接合できるので、水栓の取着が簡単且つ確実にできると共に、水栓を操作する力の一部を水栓取付具を介して前板に伝達するため、水栓操作時のガタツキを無くすることができる。
【００６７】
請求項３記載の本発明取付方法は、壁面にブラケットより小型のバックハンガーをレベル調整しながらビス等で取着することができると共に、各バックハンガーにブラケットを短時間に掛止できるので、カウンターの取付け作業工数を低減できる。
【図面の簡単な説明】
【図１】本発明取付構造の実施の形態を示すものであって、（Ａ）は浴室の壁面に取付けられたカウンターの正面図、（Ｂ）は同カウンターの平面図である。
【図２】同実施の形態において、本発明取付構造を構成する取付け前の主要部材を背面斜め上方側から見た斜視図であって、天板及び分割された前板の一部を省略したものである。
【図３】同実施の形態において、本発明取付構造を構成する分割された前板を正面斜め上方側から見た斜視図であって、（Ａ）は前板の中央部、（Ｂ）は前板の左側部である。
【図４】同実施の形態において、本発明取付構造を構成する天板を示すものであって、（Ａ）は正面上方側から表面側を見た斜視図、（Ｂ）は正面下方側から天板本体及び分離され補強材を裏面側を見た斜視図である。
【図５】同実施の形態において、本発明取付構造を構成する取付け前の前板の中央部、バックハンガー及びブラケットを背面斜め上方側から拡大して見た斜視図である。
【図６】バックハンガー及びブラケットの別態様を示す背面斜め上方側から拡大して見た斜視図である。
【図７】本発明取付方法の実施の形態を示すものであって、図２のＤ−Ｄ線箇所における取付け途中を示す断面図である。
【図８】同実施の形態を示すものであり、図２のＤ−Ｄ線箇所における取付け途中を示すものであって、ブラケットに天板を載置した直後の状態を示す断面図である。
【図９】同実施の形態を示すものであり、図２のＤ−Ｄ線箇所における取付け完成の状態（但し、配管及び水栓は図示省略）を示す断面図である。
【図１０】本発明取付方法の実施の形態を示すものであって、（Ａ）は図２のＥ−Ｅ線箇所における取付け途中を示す断面図、（Ｂ）は天板の本体に補強部材を留め付けた箇所を拡大した断面図である。
【図１１】同実施の形態を示すものであり、図２のＥ−Ｅ線箇所における取付け完成の状態（但し、配管及び水栓は図示省略）を示す断面図である。
【図１２】（Ａ）は本発明取付構造を構成するブラケットと天板の補強部材との非係止状態を正面上方側から見た斜視図、（Ｂ）は該補強部材に設けられた係止具の一方を拡大すると共に天地逆にした状態を示す斜視図、（Ｃ）該補強部材に設けられた係止具の一方の別態様を拡大すると共に天地逆にした状態を示す斜視図である。
【図１３】（Ａ）は本発明取付構造を構成するブラケットと天板の補強部材との別態様の非係止状態を示す側面断面図、（Ｂ）は正面断面図である。
【図１４】（Ａ）は本発明取付構造を構成するブラケットと前板の側部とを着脱自在に係止する係止具の非係止状態を部分断面して示す正面図、（Ｂ）及び（Ｃ）は係止具の別態様を示す部分断面した正面図である。
【図１５】（Ａ）は本発明取付構造を構成する前板の中央部と側部との端面どうしを着脱自在に係止する係止具の係止状態を示す正面断面図、（Ｂ）は別態様の係止具の別態様を示すブラケットと前板の側部とを着脱自在に係止する係止具の別態様を示す正面断面図である。
【図１６】（Ａ）及び（Ｂ）は本発明取付構造を構成する前板の中央部と側部との端面どうしを着脱自在に係止する係止具の更に別態様を示す正面断面図である。
【図１７】本発明外のカウンターの取付構造及び取付方法の第２の実施の形態を示すものであって、取付け途中を示す断面図である。
【図１８】同実施の形態における取付け完成の状態を示す断面図である。
【図１９】本発明取付構造及び取付方法の第３の実施の形態を示すものであって、取付け途中を示す断面図である。
【図２０】同実施の形態における取付け完成の状態を示す断面図である。
【符号の説明】
１…カウンター、５…天板、６…前板、１０…配管、１１，１３…バックハンガー、１１ａ，１３ａ…取着片部、１１ｃ，１３ｃ…挿入空間、１１ｄ，１３ｄ…掛止片部、１１ｅ，１３ｅ…連結片部、１３ｔ，１４ｔ…掛止片部、１２，１４…ブラケット、１２ａ，１４ａ…被掛止片部、１２ｂ，１４ｂ…張出片部、１２ｄ，１４ｄ…連結部、２０…水栓、２４，２５…前板の連結部、５０…水栓取付具、５５…天板、５６…前板、Ｆ…収納空間、Ｗａ…壁面
【図１】
0003663504.tif 000002
【図２】
0003663504.tif 000003
【図３】
0003663504.tif 000004
【図４】
0003663504.tif 000005
【図５】
0003663504.tif 000006
【図６】
0003663504.tif 000007
【図７】
0003663504.tif 000008
【図８】
0003663504.tif 000009
【図９】
0003663504.tif 000010
【図１０】
0003663504.tif 000011
【図１１】
0003663504.tif 000012
【図１２】
0003663504.tif 000013
【図１３】
0003663504.tif 000014
【図１４】
0003663504.tif 000015
【図１５】
0003663504.tif 000016
【図１６】
0003663504.tif 000017
【図１７】
0003663504.tif 000018
【図１８】
0003663504.tif 000019
【図１９】
0003663504.tif 000020
【図２０】
0003663504.tif 000021